(57)【要約】  出金処理時に損貨が識別された場合でも、金種別収納放出部53内の出金に使用する貨幣の減少を抑え、出金貨幣不足の発生による取引中止を防止できる貨幣入出金機11を提供する。  出金処理時、正常貨幣は出金口16へ搬送し、損貨と識別された貨幣のうち損貨の種類によって出金口16への出金可否を判断する。損貨のうち汚損貨は出金口16へ出金可とし、汚損貨以外の損貨は出金口16へ出金不可とする。汚損貨をリジェクトせずに出金貨幣として扱い、金種別収納放出部53内の出金に使用する貨幣の減少を抑え、出金貨幣不足の発生による取引中止を防止する。
2009069200.tif 000002
【特許請求の範囲】
【請求項１】
貨幣の入出金処理を行う貨幣入出金機において、
入金貨幣を受け入れる入金口と、
出金貨幣を放出する出金口と、
貨幣の金種と正損および損貨の種類を識別する識別部と、
この識別部の識別結果に応じて、金種毎に貨幣を収納するとともに、出金処理時に前記出金口へ搬送する収納済み貨幣を放出可能な複数の金種別収納放出部と、
出金処理時、前記識別部で正常貨幣と識別された貨幣は前記出金口へ搬送させ、損貨と識別された貨幣のうち損貨の種類によって前記出金口への出金可否を判断する制御部と
を具備していることを特徴とする貨幣入出金機。
【請求項２】
前記出金口へ出金可能とする損貨の種類を設定可能な出金損貨種類設定手段を備えた
ことを特徴とする請求項１記載の貨幣入出金機。
【請求項３】
前記識別部を複数備えた
ことを特徴とする請求項１または２記載の貨幣入出金機。
【請求項４】
前記識別部によって正常貨幣と識別されなかった貨幣を収納するリジェクト貨幣収納部を備え、
前記制御部は、出金処理時、前記識別部によって損貨として識別された貨幣のうち、前記出金損貨種類設定手段によって設定された種類に従い、出金可能と設定された貨幣は前記出金口への搬送を決定し、出金不可と設定された貨幣は前記リジェクト貨幣収納部への搬送を決定する
ことを特徴とする請求項２記載の貨幣入出金機。
【請求項５】
前記識別部によって正常貨幣と識別されなかった貨幣を収納するリジェクト貨幣収納部を備え、
前記制御部は、出金処理時、前記識別部によって損貨として識別された貨幣のうち、前記出金損貨種類設定手段によって設定された種類に従い、汚損貨は前記出金口への搬送を決定し、汚損貨以外の損貨は前記リジェクト貨幣収納部への搬送を決定する
ことを特徴とする請求項２記載の貨幣入出金機。
【請求項６】
前記識別部が識別する損貨の種類は、前記汚損貨以外に、正常貨幣に対して厚みが異なる厚損貨、正常貨幣に対して大きさが異なる欠損貨、正常貨幣に対して疲労度が高い疲労貨の少なくとも１種類の損貨が含まれている
ことを特徴とする請求項５記載の貨幣入出金機。
【請求項７】
前記複数の金種別収納放出部の各々に対して、複数の正常貨幣と全金種の損貨とを混合状態で収納する設定が可能な収納貨幣設定手段を備えた
ことを特徴とする請求項１記載の貨幣入出金機。
【請求項８】
前記複数の金種別収納放出部の各々に対して、複数の正常貨幣と特定金種の損貨とを混合状態で収納する設定が可能な収納貨幣設定手段を備えた
ことを特徴とする請求項２記載の貨幣入出金機。
【請求項９】
前記複数の金種別収納放出部の各々に対して、全金種の損貨のみを収納する設定が可能な収納貨幣設定手段を備えた
ことを特徴とする請求項１記載の貨幣入出金機。
【請求項１０】
前記複数の金種別収納放出部の各々に対して、特定金種のみの損貨のみを収納する設定が可能な収納貨幣設定手段を備えた
ことを特徴とする請求項２記載の貨幣入出金機。
【請求項１１】
入金貨幣を一時的に保留する一時保留部を備え、
前記制御部は、入金処理時、正常貨幣を前記一時保留部へ搬送し、入金承認後、前記一時保留部の貨幣を再度識別した結果、前記出金損貨種類設定手段によって設定された種類に従い、前記出金口へ出金不可と判断された損貨は、前記リジェクト貨幣収納部への搬送を決定する
ことを特徴とする請求項４記載の貨幣入出金機。
【請求項１２】
入金貨幣を一時的に保留する一時保留部を備え、
前記制御部は、入金処理時、正常貨幣を前記一時保留部へ搬送し、入金承認後、前記一時保留部の貨幣を再度識別した結果、前記出金損貨種類設定手段によって設定された種類に従い、前記出金口へ出金可能と判断された損貨は、前記収納貨幣設定手段によって設定された情報を元に、該当する前記金種別収納放出部への搬送を決定する
ことを特徴とする請求項７乃至９いずれか記載の貨幣入出金機。
【請求項１３】
入金貨幣を一時的に保留する一時保留部と、
前記識別部によって正常貨幣と識別されなかった貨幣を収納するリジェクト貨幣収納部とを備え、
前記制御部は、入金処理時、正常貨幣を前記一時保留部へ搬送し、入金承認後、前記一時保留部の貨幣を再度識別した結果、前記出金損貨種類設定手段によって設定された種類に従い、前記出金口へ出金不可と判断された損貨は、前記リジェクト貨幣収納部への搬送を決定し、前記出金口へ出金可能と判断された損貨は、前記収納貨幣設定手段によって設定された情報を元に、該当する前記金種別収納放出部への搬送を決定する
ことを特徴とする請求項７乃至９いずれか記載の貨幣入出金機。
【請求項１４】
入金貨幣を一時的に保留する一時保留部を備え、
前記制御部は、出金処理時、前記収納貨幣設定手段に基づいて、複数の正常貨幣と損貨とを混合状態で収納している前記金種別収納放出部からの出金を行う際、出金不要金種の貨幣が前記金種別収納放出部から放出された場合は、出金不要金種の貨幣を前記一時保留部へ搬送し、所定量の貨幣が前記出金口に放出された後に、前記一時保留部へ搬送した出金不要金種の貨幣を当該金種別収納放出部へ搬送させる
ことを特徴とする請求項７または８記載の貨幣入出金機。
【発明の詳細な説明】
【技術分野】
【０００１】
本発明は、貨幣の入出金処理を行う貨幣入出金機に関する。
【背景技術】
【０００２】
従来、金融機関などの窓口などで用いられる貨幣入出金機では、入金処理時において識別した入金貨幣に含まれる損貨は機内に受け入れる（入金可能とする）ものの、出金処理時において識別した出金貨幣に含まれる損貨は、出金貨幣として用いず、損貨収納部や識別不可能な貨幣を収納するリジェクト貨幣収納部へ収納している（例えば、特許文献１参照。）。この損貨には、汚損貨（紙幣の場合の汚れ）、厚損貨（紙幣の場合の折れ）、欠損貨（紙幣の場合の破れ）、および疲労貨（紙幣の場合のくたびれ）などがある。【０００３】
入金貨幣を出金貨幣としてリサイクルする貨幣入出金機では、一般的に、入金貨幣を出金貨幣としてリサイクルするリサイクル貨幣を金種別に収納する金種別収納放出部は収納可能枚数が多い大容量のものが用いられているが、損貨収納部やリジェクト貨幣収納部は比較的小さいものとなっている。これは、入金処理時において正常貨幣として識別し、対応する金種別収納放出部に収納した貨幣をリサイクルさせ、出金処理にて再度識別する際、正常貨幣以外（損貨や識別不能貨（リジェクト貨幣））に識別される可能性が低いためである。
【特許文献１】特公平７−８２５７０号公報（第４−５頁、第１図）
【発明の開示】
【発明が解決しようとする課題】
【０００４】
しかしながら、地域によって流通している貨幣の質が悪く、このような地域で使用される貨幣入出金機では、出金処理時において出金貨幣を再度識別した際に、損貨と識別される貨幣が多発する可能性が高く、この場合、損貨を損貨収納部やリジェクト貨幣収納部へ収納し、代わりの出金貨幣を金種別収納放出部から取り出すため、金種別収納放出部内の出金貨幣に使用するリサイクル貨幣が減少し、出金貨幣不足が発生して取引を停止せざるを得なくなる。【０００５】
また、損貨収納部やリジェクト貨幣収納部が満杯になることも頻繁に発生することになり、損貨収納部やリジェクト貨幣収納部内の貨幣を抜き取るために、行員の手を煩わせることになり、行員にかかる負担が大きくなる。【０００６】
また、ドイツの銀行などでは、貨幣入出金機内の貨幣を抜き取る場合には、セキュリティ面から、顧客を銀行外へ退出させなければならず、損貨収納部やリジェクト貨幣収納部の貨幣の抜き取り行為は、行員にとっても、顧客にとっても不便なものとなっている。【０００７】
本発明は、このような点に鑑みなされたもので、出金処理時に損貨が識別された場合でも、金種別収納放出部内の出金に使用する貨幣の減少を抑え、出金貨幣不足の発生による取引中止を防止できる貨幣入出金機を提供することを目的とする。
【課題を解決するための手段】
【０００８】
請求項１記載の貨幣入出金機は、貨幣の入出金処理を行う貨幣入出金機において、入金貨幣を受け入れる入金口と、出金貨幣を放出する出金口と、貨幣の金種と正損および損貨の種類を識別する識別部と、この識別部の識別結果に応じて、金種毎に貨幣を収納するとともに、出金処理時に前記出金口へ搬送する収納済み貨幣を放出可能な複数の金種別収納放出部と、出金処理時、前記識別部で正常貨幣と識別された貨幣は前記出金口へ搬送させ、損貨と識別された貨幣のうち損貨の種類によって前記出金口への出金可否を判断する制御部とを具備しているものである。【０００９】
請求項２記載の貨幣入出金機は、請求項１記載の貨幣入出金機において、前記出金口へ出金可能とする損貨の種類を設定可能な出金損貨種類設定手段を備えたものである。【００１０】
請求項３記載の貨幣入出金機は、請求項１または２記載の貨幣入出金機において、前記識別部を複数備えたものである。【００１１】
請求項４記載の貨幣入出金機は、請求項２記載の貨幣入出金機において、前記識別部によって正常貨幣と識別されなかった貨幣を収納するリジェクト貨幣収納部を備え、前記制御部は、出金処理時、前記識別部によって損貨として識別された貨幣のうち、前記出金損貨種類設定手段によって設定された種類に従い、出金可能と設定された貨幣は前記出金口への搬送を決定し、出金不可と設定された貨幣は前記リジェクト貨幣収納部への搬送を決定するものである。【００１２】
請求項５記載の貨幣入出金機は、請求項２記載の貨幣入出金機において、前記識別部によって正常貨幣と識別されなかった貨幣を収納するリジェクト貨幣収納部を備え、前記制御部は、出金処理時、前記識別部によって損貨として識別された貨幣のうち、前記出金損貨種類設定手段によって設定された種類に従い、汚損貨は前記出金口への搬送を決定し、汚損貨以外の損貨は前記リジェクト貨幣収納部への搬送を決定するものである。【００１３】
請求項６記載の貨幣入出金機は、請求項５記載の貨幣入出金機において、前記識別部が識別する損貨の種類は、前記汚損貨以外に、正常貨幣に対して厚みが異なる厚損貨、正常貨幣に対して大きさが異なる欠損貨、正常貨幣に対して疲労度が高い疲労貨の少なくとも１種類の損貨が含まれているものである。【００１４】
請求項７記載の貨幣入出金機は、請求項１記載の貨幣入出金機において、前記複数の金種別収納放出部の各々に対して、複数の正常貨幣と全金種の損貨とを混合状態で収納する設定が可能な収納貨幣設定手段を備えたものである。【００１５】
請求項８記載の貨幣入出金機は、請求項２記載の貨幣入出金機において、前記複数の金種別収納放出部の各々に対して、複数の正常貨幣と特定金種の損貨とを混合状態で収納する設定が可能な収納貨幣設定手段を備えたものである。【００１６】
請求項９記載の貨幣入出金機は、請求項１記載の貨幣入出金機において、前記複数の金種別収納放出部の各々に対して、全金種の損貨のみを収納する設定が可能な収納貨幣設定手段を備えたものである。【００１７】
請求項１０記載の貨幣入出金機は、請求項２記載の貨幣入出金機において、前記複数の金種別収納放出部の各々に対して、特定金種のみの損貨のみを収納する設定が可能な収納貨幣設定手段を備えたものである。【００１８】
請求項１１記載の貨幣入出金機は、請求項４記載の貨幣入出金機において、入金貨幣を一時的に保留する一時保留部を備え、前記制御部は、入金処理時、正常貨幣を前記一時保留部へ搬送し、入金承認後、前記一時保留部の貨幣を再度識別した結果、前記出金損貨種類設定手段によって設定された種類に従い、前記出金口へ出金不可と判断された損貨は、前記リジェクト貨幣収納部への搬送を決定するものである。【００１９】
請求項１２記載の貨幣入出金機は、請求項７乃至９いずれか記載の貨幣入出金機において、入金貨幣を一時的に保留する一時保留部を備え、前記制御部は、入金処理時、正常貨幣を前記一時保留部へ搬送し、入金承認後、前記一時保留部の貨幣を再度識別した結果、前記出金損貨種類設定手段によって設定された種類に従い、前記出金口へ出金可能と判断された損貨は、前記収納貨幣設定手段によって設定された情報を元に、該当する前記金種別収納放出部への搬送を決定するものである。【００２０】
請求項１３記載の貨幣入出金機は、請求項７乃至９いずれか記載の貨幣入出金機において、入金貨幣を一時的に保留する一時保留部と、前記識別部によって正常貨幣と識別されなかった貨幣を収納するリジェクト貨幣収納部とを備え、前記制御部は、入金処理時、正常貨幣を前記一時保留部へ搬送し、入金承認後、前記一時保留部の貨幣を再度識別した結果、前記出金損貨種類設定手段によって設定された種類に従い、前記出金口へ出金不可と判断された損貨は、前記リジェクト貨幣収納部への搬送を決定し、前記出金口へ出金可能と判断された損貨は、前記収納貨幣設定手段によって設定された情報を元に、該当する前記金種別収納放出部への搬送を決定するものである。【００２１】
請求項１４記載の貨幣入出金機は、請求項７または８記載の貨幣入出金機において、入金貨幣を一時的に保留する一時保留部を備え、前記制御部は、出金処理時、前記収納貨幣設定手段に基づいて、複数の正常貨幣と損貨とを混合状態で収納している前記金種別収納放出部からの出金を行う際、出金不要金種の貨幣が前記金種別収納放出部から放出された場合は、出金不要金種の貨幣を前記一時保留部へ搬送し、所定量の貨幣が前記出金口に放出された後に、前記一時保留部へ搬送した出金不要金種の貨幣を当該金種別収納放出部へ搬送させるものである。
【発明の効果】
【００２２】
請求項１記載の貨幣入出金機によれば、出金処理時、識別部で正常貨幣と識別された貨幣は出金口へ搬送させ、損貨と識別された貨幣のうち損貨の種類によって出金口への出金可否を判断することにより、特定種類の損貨をリジェクトせずに出金貨幣として扱い、金種別収納放出部内の出金に使用する貨幣の減少を抑え、出金貨幣不足の発生による取引中止を防止できる。【００２３】
請求項２記載の貨幣入出金機によれば、請求項１記載の貨幣入出金機の効果に加えて、出金損貨種類設定手段により、出金口へ出金可能とする損貨の種類を任意に設定できる。【００２４】
請求項３記載の貨幣入出金機によれば、請求項１または２記載の貨幣入出金機の効果に加えて、複数の識別部を備えることにより、例えば入金用、出金用に利用できる。【００２５】
請求項４記載の貨幣入出金機によれば、請求項２記載の貨幣入出金機の効果に加えて、出金処理時、識別部によって損貨として識別された貨幣のうち、出金損貨種類設定手段によって設定された種類に従い、出金可能と設定された貨幣は出金口へ搬送し、出金不可と設定された貨幣はリジェクト貨幣収納部へ搬送することにより、設定された特定種類の損貨のみをリジェクトせずに出金貨幣として扱うことができる。【００２６】
請求項５記載の貨幣入出金機によれば、請求項２記載の貨幣入出金機の効果に加えて、出金処理時、識別部によって損貨として識別された貨幣のうち、出金損貨種類設定手段によって設定された種類に従い、正常貨幣より汚れている汚損貨は出金口へ搬送し、汚損貨以外の損貨はリジェクト貨幣収納部へ搬送することにより、汚損貨のみをリジェクトせずに出金貨幣として扱うことができる。【００２７】
請求項６記載の貨幣入出金機によれば、請求項５記載の貨幣入出金機の効果に加えて、汚損貨以外の損貨の種類には、正常貨幣に対して厚みが異なる厚損貨、正常貨幣に対して大きさが異なる欠損貨、正常貨幣に対して疲労度が高い疲労貨の少なくとも１種類の損貨が含まれ、このような汚損貨以外の損貨をリジェクト貨幣収納部へ搬送できる。【００２８】
請求項７記載の貨幣入出金機によれば、請求項１記載の貨幣入出金機の効果に加えて、収納貨幣設定手段により、複数の金種別収納放出部の各々に対して、複数の正常貨幣と全金種の損貨とを混合状態で収納する設定ができ、複数の金種別収納放出部に正常貨幣を収納可能な状態で、多くの損貨を収納できる。【００２９】
請求項８記載の貨幣入出金機によれば、請求項２記載の貨幣入出金機の効果に加えて、収納貨幣設定手段により、複数の金種別収納放出部の各々に対して、複数の正常貨幣と特定金種の損貨とを混合状態で収納する設定ができ、複数の金種別収納放出部に正常貨幣を収納可能な状態で、多くの損貨を収納できる。【００３０】
請求項９記載の貨幣入出金機によれば、請求項１記載の貨幣入出金機の効果に加えて、収納貨幣設定手段により、複数の金種別収納放出部の各々に対して、全金種の損貨のみを収納する設定ができ、金種別収納放出部を利用して多くの損貨を収納できる。【００３１】
請求項１０記載の貨幣入出金機によれば、請求項２記載の貨幣入出金機の効果に加えて、収納貨幣設定手段により、複数の金種別収納放出部の各々に対して、特定金種のみの損貨のみを収納する設定ができ、金種別収納放出部を利用して多くの特定金種の損貨を収納できる。【００３２】
請求項１１記載の貨幣入出金機によれば、請求項４記載の貨幣入出金機の効果に加えて、入金処理時、正常貨幣を一時保留部へ搬送し、入金承認後、一時保留部の貨幣を再度識別した結果、出金損貨種類設定手段によって設定された種類に従い、出金口へ出金不可と判断された損貨は、リジェクト貨幣収納部へ搬送することにより、出金処理時において出金口へ出金不可と判断される損貨の発生を低減できる。【００３３】
請求項１２記載の貨幣入出金機によれば、請求項７乃至９いずれか記載の貨幣入出金機の効果に加えて、入金処理時、正常貨幣を一時保留部へ搬送し、入金承認後、一時保留部の貨幣を再度識別した結果、出金損貨種類設定手段によって設定された種類に従い、出金口へ出金可能と判断された損貨は、収納貨幣設定手段によって設定された情報を元に、該当する金種別収納放出部へ搬送することにより、正常貨幣として扱うことができる。【００３４】
請求項１３記載の貨幣入出金機によれば、請求項７乃至９いずれか記載の貨幣入出金機の効果に加えて、入金処理時、正常貨幣を前記一時保留部へ搬送し、入金承認後、一時保留部の貨幣を再度識別した結果、出金損貨種類設定手段によって設定された種類に従い、出金口へ出金不可と判断された損貨は、リジェクト貨幣収納部へ搬送することにより、正常貨幣と分離でき、また、出金口へ出金可能と判断された損貨は、収納貨幣設定手段によって設定された情報を元に、該当する金種別収納放出部へ搬送することにより、正常貨幣として扱うことができる。【００３５】
請求項１４記載の貨幣入出金機によれば、請求項７または８記載の貨幣入出金機の効果に加えて、出金処理時、収納貨幣設定手段に基づいて、複数の正常貨幣と損貨とを混合状態で収納している金種別収納放出部からの出金を行う際、出金不要金種の貨幣が金種別収納放出部から放出された場合は、出金不要金種の貨幣を一時保留部へ搬送し、所定量の貨幣が出金口に放出された後に、一時保留部へ搬送した出金不要金種の貨幣を当該金種別収納放出部へ搬送させることにより、出金に必要な貨幣のみを選択的に出金できる。
【図面の簡単な説明】
【００３６】
【図１】本発明の貨幣入出金機の第１の実施の形態を示す紙幣入出金機を側面方向から見た概略断面図である。
【図２】同上紙幣入出金機の斜視図である。
【図３】同上紙幣入出金機の制御部のブロック図である。
【図４】同上紙幣入出金機のリジェクト貨幣収納部および金種別収納放出部に対する収納貨幣の設定パターンを示す表である。
【図５】同上紙幣入出金機の入金処理において入金する紙幣を一時保留するまでの流れを示す説明図である。
【図６】同上紙幣入出金機の入金処理において一時保留した紙幣を収納する流れを示す説明図である。
【図７】同上紙幣入出金機の出金処理において単一金種を収納する金種別収納放出部から紙幣を出金する場合の紙幣の流れを示す説明図である。
【図８】同上紙幣入出金機の出金処理において複数金種を混合収納する金種別収納放出部から出金に必要な紙幣を選択出金する場合の紙幣の流れを示す説明図である。
【図９】同上紙幣入出金機の出金処理において複数金種を混合収納する金種別収納放出部から出金に必要な紙幣を選択出金した後に出金不要の金種の紙幣を収納する流れを示す説明図である。
【図１０】本発明の貨幣入出金機の第２の実施の形態を示す硬貨幣入出金機の硬貨処理装置の斜視図である。
【図１１】同上硬貨幣入出金機の硬貨処理装置の平面図である。
【図１２】同上硬貨幣入出金機の硬貨処理装置の断面図である。
【図１３】本発明の貨幣入出金機の第３の実施の形態を示す硬貨入出金機を側面方向から見た概略断面図である。
【符号の説明】
【００３７】
11    貨幣入出金機としての紙幣入出金機
16    出金口
17    入金口
28    一時保留部
40    識別部
52    リジェクト貨幣収納部としてのリジェクトボックス
53    金種別収納放出部
71    制御部
72    出金損貨種類設定手段
73    収納貨幣設定手段
101   貨幣入出金機としての硬貨入出金機
109   金種別収納放出部
121   識別部
201   貨幣入出金機としての硬貨入出金機
203   入金口
204   出金口
209   識別部
【発明を実施するための最良の形態】
【００３８】
以下、本発明の実施の形態を、図面を参照して説明する。【００３９】
図１ないし図９に第１の実施の形態を示す。【００４０】
図１および図２に、貨幣として紙幣を取り扱う貨幣入出金機としての紙幣入出金機11を示す。この紙幣入出金機11は、例えば銀行などの金融機関のカウンターに、このカウンターの内側に居る２人のテラー間に設置され、紙幣入出金機11の左右の一方または両方に居るテラーのいずれもからも使用可能としている。紙幣入出金機11には左右の２人のテラーが操作する図示しない端末がそれぞれ接続され、これら端末で紙幣入出金機11を操作可能としている。【００４１】
紙幣入出金機11は機体12を有し、この機体12は、テラーが操作する操作面側を前面とし、この前面と反対側つまりカウンターの外側の顧客側を後面とした場合、左右方向の横幅が狭く、前後方向の奥行きが長いとともに上下方向の高さが高い縦型に構成されている。【００４２】
機体12には、上部ユニット13および下部ユニット14が機体12の前面側からそれぞれ引出可能に設けられている。【００４３】
上部ユニット13の前側には操作部15が設けられ、この操作部15の上面には、前側から順に、紙幣を出金する出金口16、および紙幣を入金する入金口17が形成されている。これら出金口16および入金口17の設置域の左右両側域に左右いずれのテラーで入金処理または出金処理を占有するかを指示する占有ボタン18がそれぞれ配置され、出金口16および入金口17の設置域の一側に紙幣の詰まり箇所や紙幣の残量などを表示する表示部19が配置されている。【００４４】
操作部15の前面には、入金処理時に入金紙幣の一時保留後の入金非承認によって返却することになった紙幣を取り出すための返却口20が形成され、返却口扉21で開閉可能に閉塞されている。また、上部ユニット13を機体12に収納した状態で施錠解錠するテラー操作用の上部ユニット錠22が設けられている。そして、この上部ユニット錠22の解錠によって上部ユニット13が機体12から引き出せる。【００４５】
機体12の前面下部域には扉体23が開閉可能に取り付けられ、この扉体23に下部ユニット14を機体12に収納して扉体23を閉じた状態で施錠解錠する金融機関の上位管理者または警備保障会社の社員しか操作できない下部ユニット錠24が設けられており、扉体23を解錠して開放することで下部ユニット14を機体12内から前方へ引き出し可能としている。なお、下部ユニット錠24はテラーには解錠できない。また、下部ユニット14は、パスワード入力方式としてのロック錠としてもよい。この場合、パスワード入力する英数字キーなどのボタンを設け、特定のテラーや管理者などにパスワードを伝達しておくことで、特定者のみ下部ユニット１４を引出可能とする。【００４６】
また、上部ユニット13の出金口16および入金口17には、紙幣を立位姿勢でかつ長方形の紙幣の短手方向を上下方向として収納可能とする。出金口16には、出金中に出金口16を閉じるとともに出金終了時に開く透明なシャッタ27が開閉可能に配置され、出金中においては閉じているシャッタ27を透過して出金口16に出金される紙幣を視認可能としている。【００４７】
上部ユニット13の返却口20の内側には、紙幣を一時保留する一時保留部28が配置されている。この一時保留部28の前面には閉鎖状態で図示しない電磁ロックによってロックされる透明な返却口扉21が開閉可能に配置されている。【００４８】
また、上部ユニット13内には、出金口16、入金口17および一時保留部28に接続されて紙幣を搬送する上部ユニット側搬送部30が配設されている。この上部ユニット側搬送部30は、出金口16に紙幣を搬送する出金搬送部31、入金口17から１枚ずつ繰り出される紙幣を搬送する入金搬送部32、出金搬送部31の途中に接続されて一時保留部28との間で紙幣を搬送する一時保留搬送部33、後方から前方へ折り返す略Ｕ字形で上側の一端側に出金搬送部31および入金搬送部32が接続された識別搬送部34、識別搬送部34の上側の一端と下側の他端とを接続するバイパス搬送部35、識別搬送部34の上側の一端および下側の他端が接続されて下部ユニット14へ延設されたリジェクト搬送部36、および識別搬送部34の下側の他端（パイパス搬送部35の下端）に接続されて下部ユニット14へ延設された収納出金搬送部37を有している。少なくとも出金搬送部31、一時保留搬送部33、識別搬送部34および収納出金搬送部37は、紙幣の搬送方向を正逆に反転させることができる。各搬送部31〜37間の接続部分には紙幣の進行方向を切り換える切換部材38がそれぞれ配置されている。識別搬送部34には搬送する紙幣の真偽、金種、正損および損券（損貨）の種類などを識別する識別部40が配設されている。【００４９】
出金口16には、出金搬送部31により搬送してくる出金紙幣を出金口16内に１枚ずつ繰り込んで収納させる繰込機構42が配設されている。入金口17には、入金口17に挿入された入金紙幣を１枚ずつ入金搬送部32へ繰り出す繰出機構43が配設されている。【００５０】
一時保留部28の上部には、一時保留搬送部33から一時保留部28内に紙幣を１枚ずつ繰り込んで収納させるとともに一時保留部28内に収納した紙幣を一時保留搬送部33へ１枚ずつ繰り出す繰込繰出機構44が配設されている。【００５１】
また、図１に示すように、下部ユニット14には、機体12の前側域に、破損紙幣や小切手、商品券などを収納する着脱ボックス51が着脱可能に配置されているとともに、識別部40で正常紙幣と識別されなかった紙幣を収納するリジェクト貨幣収納部としてのリジェクトボックス52が配置されている。さらに、リジェクトボックス52の後部域には、金種毎に紙幣を収納する複数の金種別収納放出部53（53a〜53f）が前後方向に並んで配置されている。リジェクトボックス52の紙幣収納量は各金種別収納放出部53の紙幣収納量より少なくなっている。【００５２】
下部ユニット14内には、各金種別収納放出部53に接続される下部ユニット側搬送部55が配設されている。この下部ユニット側搬送部55は、金種別収納放出部53の上方域に沿って前後方向に配置された主搬送部56、この主搬送部56から各金種別収納放出部53に繰り込む紙幣を搬送する繰込搬送部57、各金種別収納放出部53から繰り出される紙幣を主搬送部56に搬送する繰出搬送部58を備え、各搬送部56〜58の接続部分には紙幣の進行方向を切り換える切換部材59がそれぞれ配置されている。下部ユニット側搬送部55の主搬送部56は、紙幣の搬送方向を正逆に反転させることができる。【００５３】
各金種別収納放出部53の上部には、繰込搬送部57から金種別収納放出部53内に紙幣を１枚ずつ繰り込んで収納させるとともに金種別収納放出部53に収納した紙幣を繰出搬送部58へ１枚ずつ繰り出す繰込繰出機構60が配設されている。【００５４】
各金種別収納放出部53内には、集積台61が昇降可能に配置され、この集積台61上に紙幣を上下方向に向けて集積する。そして、金種別収納放出部53への紙幣繰込時には、集積台61上に紙幣を集積収納する毎に、集積台61を順次下降させて紙幣を受け入れて集積収納する上面高さを一定に保つようにする。また、金種別収納放出部53からの紙幣繰出時には、集積台61を上昇させて紙幣を繰込繰出機構60に押し付け、繰込繰出機構60により紙幣を１枚ずつ繰り出す。【００５５】
上部ユニット13のリジェクト搬送部36は下部ユニット14のリジェクトボックス52に接続され、上部ユニット13の収納出金搬送部37は下部ユニット14の主搬送部56の前端に接続されている。【００５６】
また、図３には、紙幣入出金機11を制御する制御部71を示す。【００５７】
この制御部71は、出金処理時、金種別収納放出部53から繰り出されて識別部40で識別した紙幣のうち、正規であり損券でもない正常紙幣は出金口16へ搬送し、正規であるが損券であると識別された紙幣のうち損券の種類によって出金口16への出金可否を判断する機能を有している。【００５８】
より具体的には、テラーの操作する端末などの操作部により、出金口16へ出金可能とする損券の種類を設定可能な出金損貨種類設定手段72を備えている。設定可能な損券の種類は、正常紙幣に対して汚れている汚損券（汚れ紙幣）、正常紙幣に対して厚みが異なる厚損券（折れ紙幣）、正常紙幣に対して大きさが異なる欠損券（破れ紙幣）、正常紙幣に対して疲労度が高い疲労券（くたびれ紙幣）などが含まれている。この実施の形態では、出金口16へ出金可能な紙幣を汚損券とし、出金口16へ出金不可な紙幣を汚損券以外の損券として設定するものとする。【００５９】
そして、制御部71は、出金処理時、識別部40によって損券として識別された紙幣のうち、出金損貨種類設定手段72によって設定された種類に従い、出金可能と設定された紙幣である汚損券は出金口16への搬送を決定し、出金不可と設定された紙幣である汚損券以外の損券はリジェクトボックス52への搬送を決定する機能を有し、また、入金処理時、正常紙幣および損券を一時保留部28へ搬送し、入金承認後、一時保留部28の紙幣を再度識別した結果、出金損貨種類設定手段72によって設定された種類に従い、出金口16へ出金可能と判断された汚損券は、該当する金種の金種別収納放出部53への搬送を決定し、出金口16へ出金不可と判断された汚損券以外の損券は、リジェクトボックス52への搬送を決定する機能を有している。【００６０】
また、複数の金種別収納放出部53の各々に対して、複数の正常紙幣と全金種の損券とを混合状態で収納する設定、複数の正常紙幣と特定金種の損券とを混合状態で収納する設定、全金種の損券のみを収納する設定、特定金種のみの損券のみを収納する設定のいずれか１つに設定可能な収納貨幣設定手段73を備えている。ここでの収納貨幣設定手段73は、一般的に金種別収納放出部53の各々に対して特定の正常紙幣の１金種または複数金種を任意に設定できる図示しない収納正常紙幣設定手段（収納正常貨幣設定手段）と別に設けてもよいし、設定手段の一部として設けてもよい。また、ここでいう損券は、汚損券以外の損券をいい、汚損券は正常紙幣と同様に該当する金種別収納放出部53に収納される。【００６１】
図４に示すように、リジェクトボックス52および各金種別収納放出部53a〜53fを収納先とする種類の設定として、例えば４つの収納先設定パターン１〜４を示し、これらの収納先設定パターン１〜４を任意に設定可能とする。なお、これら以外の収納先設定パターンでも任意に設定可能とする。【００６２】
収納先設定パターン１は、リジェクトボックス52に異常紙幣を、金種別収納放出部53a〜53dにそれぞれ５、１０、２０および５０ユーロを、金種別収納放出部53eに損券（全金種）を、金種別収納放出部53fに１００、２００および５００ユーロを、それぞれ収納する。【００６３】
収納先設定パターン２は、リジェクトボックス52に異常紙幣と低額損券（５、１０、２０および５０ユーロ）を、金種別収納放出部53a〜53eにそれぞれ５、１０、２０、５０および１００ユーロを、金種別収納放出部53fに２００および５００ユーロと高額損券（２００および５００ユーロ）を、それぞれ収納する。【００６４】
収納先設定パターン３は、リジェクトボックス52に異常紙幣を、金種別収納放出部53a〜53eにそれぞれ５、１０、２０、５０および１００ユーロを、金種別収納放出部53fに２００および５００ユーロと損券（全金種）を、それぞれ収納する。【００６５】
収納先設定パターン４は、リジェクトボックス52に異常紙幣および損券（全金種）を、金種別収納放出部53a〜53eにそれぞれ５、１０、２０、５０および１００ユーロを、金種別収納放出部53fに２００および５００ユーロを、それぞれ収納する。【００６６】
この収納先設定パターン４のように、リジェクトボックス52に異常紙幣および損券（全金種）を収納する設定であると、損券の識別頻度が高い地域で紙幣入出金機11を使用する場合に、リジェクトボックス52が満杯になりやすいが、収納先設定パターン１〜３のように設定し、損券の一部または全部を金種別収納放出部53a〜53fに収納することにより、リジェクトボックス52が満杯になる頻度が低減される。【００６７】
そして、制御部71は、入金処理時、正常紙幣を一時保留部28へ搬送し、入金承認後、一時保留部28の紙幣を再度識別した結果、出金損貨種類設定手段72によって設定された種類に従い、出金口16へ出金不可と判断された汚損券以外の損券は、リジェクトボックス52への搬送を決定し、出金口16へ出金可能と判断された汚損券は、収納貨幣設定手段73によって設定された情報を元に、該当する金種別収納放出部53への搬送を決定する機能、また、出金処理時、複数金種の正常紙幣を混合収納している金種別収納放出部53あるいは収納貨幣設定手段73に基づいて、複数金種の正常紙幣と汚損券以外の損券とを混合状態で収納している金種別収納放出部53からの出金を行う際、出金不要金種の紙幣が金種別収納放出部53から放出された場合は、出金不要金種の紙幣を一時保留部28へ搬送し、所定量の出金紙幣が出金口16に放出された後に、一時保留部28へ搬送した出金不要金種の紙幣を当該金種別収納放出部53へ搬送させる機能を有している。【００６８】
次に、紙幣入出金機11の動作を説明する。【００６９】
まず、入金処理について図５および図６を参照して説明する。【００７０】
金融機関のカウンターにおいて、テラーが顧客から受け取った入金紙幣を入金口17に挿入し、テラーの端末で入金開始を操作することにより、入金処理を開始する。【００７１】
図５に示すように、入金口17に挿入された入金紙幣は、入金口17から入金搬送部32に１枚ずつ繰り出され、識別搬送部34の一端側に搬送されて識別部40で識別される。【００７２】
識別部40で正規と識別された入金紙幣つまり正常紙幣および損券は、識別搬送部34の他端側からバイパス搬送部35、識別搬送部34の一端側、出金搬送部31および一時保留搬送部33を通じて一時保留部28に繰り込まれて一時保留される。【００７３】
識別部40で識別不能と識別された入金紙幣つまり異常紙幣は、識別搬送部34の他端側からバイパス搬送部35、識別搬送部34の一端側および出金搬送部31を通じて出金口16に繰り込まれ、入金紙幣の一時保留が終了した時点でシャッタ27が開放されてテラーに返却される。出金口16から異常紙幣がテラーによって取り出されたらシャッタ27を閉じる。テラーにより取り出した異常紙幣を確認するなどの所定の処理を行う。【００７４】
そして、入金口17に投入された全ての入金紙幣の一時保留までの処理が完了したら、識別結果をテラーの端末に表示し、顧客に入金承認または入金非承認を確認する。【００７５】
テラーが端末によって入金承認指令を操作することにより、一時保留部28に一時保留された紙幣の収納動作を開始する。図６に示すように、一時保留部28の紙幣は、一時保留部28から一時保留搬送部33に１枚ずつ繰り出され、出金搬送部31を通じて識別搬送部34に搬送されて識別部40で再度識別される。【００７６】
ここで、例えば、図４に示す収納先設定パターン４が設定されていた場合には、識別部40での再識別の結果、正常紙幣および損券のうちの汚損券は、識別搬送部34から収納出金搬送部37を通じて下部ユニット側搬送部55の主搬送部56に搬送され、この主搬送部56から収納先に設定されている金種別収納放出部53に繰り込まれて集積収納される。また、異常紙幣および汚損券以外の損券が識別された場合には、これらが識別搬送部34からリジェクト搬送部36を通じてリジェクトボックス52に繰り込まれて収納される。【００７７】
また、図４に示す収納先設定パターン３が設定されていた場合には、正常紙幣および損券のうちの汚損券については収納先設定パターン４と同じであるが、汚損券以外の損券については、全金種とも、識別搬送部34から収納出金搬送部37を通じて下部ユニット側搬送部55の主搬送部56に搬送され、この主搬送部56から収納先に設定されている金種別収納放出部53eに繰り込まれて正常紙幣と混合収納される。さらに、異常紙幣のみは、識別搬送部34からリジェクト搬送部36を通じてリジェクトボックス52に収納される。【００７８】
一方、テラーが端末によって入金非承認指令の操作をすることにより、一時保留部28の返却口扉21をロックしていた電磁ロックが解除される。テラーにより、返却口扉21を開き、返却口20から一時保留部28内の紙幣を一括して取り出し、顧客に返却し、返却口扉21を閉じる。【００７９】
次に、出金処理について参照して説明する。【００８０】
金融機関のカウンターにおいて、顧客からの出金の要求に応じた金種および枚数を含む金額など出金情報をテラーの端末で入力し、出金開始を操作することにより、出金処理を開始する。【００８１】
この出金処理は、単一の金種の紙幣を収納する金種別収納放出部53から出金する単一出金方式と、複数の金種の紙幣を混合収納していたり正常紙幣と汚損券以外の損券とを混合収納している金種別収納放出部53から出金する場合に出金に必要な紙幣のみを選択的に出金する選択出金方式とがある。【００８２】
まず、図７には単一出金方式を示す。【００８３】
１種類の紙幣を出金する場合には、該当する金種の金種別収納放出部53のみから１枚ずつ紙幣を順に繰り出し、また、複数金種の紙幣を出金する場合には、ある１つの金種の金種別収納放出部53から１枚ずつ紙幣を順に繰り出し、その繰り出しが完了したら次の金種の金種別収納放出部53から１枚ずつ紙幣を順に繰り出すというように、予め設定された金種順に紙幣を１枚ずつ繰り出す。【００８４】
金種別収納放出部53から繰り出される紙幣は、繰出搬送部58および主搬送部56を通じて上部ユニット側搬送部30の収納出金搬送部37を経て識別搬送部34に搬送されて識別部40で再度識別（入金時に識別済みのため）される。【００８５】
識別部40で正規と識別された正常紙幣および損券のうちの汚損券は、識別搬送部34から出金搬送部31を通じて出金口16に繰り込まれる。【００８６】
識別部40で識別不能な異常紙幣および汚損券以外の損券が識別された場合には、これらが識別搬送部34からリジェクト搬送部36を通じて下部ユニット14のリジェクトボックス52に繰り込まれて収納される。【００８７】
出金額に対応した出金紙幣が出金口16に繰り込まれたら、シャッタ27が開放される。テラーによって出金口16から出金紙幣が取り出されたらシャッタ27を閉じる。出金紙幣はテラーから顧客に受け渡される。【００８８】
また、図８には選択出金方式を示す。【００８９】
金種別収納放出部53の繰り出から識別までは単一出金方式と同様である。ただし、混合収納している金種別収納放出部53からは、出金金種以外に出金不要の金種の紙幣が繰り出される場合がある。【００９０】
識別部40で正規と識別された出金金種の正常紙幣または損券のうちの汚損券は、識別搬送部34から出金搬送部31を通じて出金口16に繰り込まれる。【００９１】
識別部40で出金不要の金種と識別された紙幣は、識別搬送部34から出金搬送部31および一時保留搬送部33を通じて一時保留部28に繰り込まれて収納される。【００９２】
識別部40で識別不能な異常紙幣が識別された場合には、この異常紙幣が識別搬送部34からリジェクト搬送部36を通じて下部ユニット14のリジェクトボックス52に繰り込まれて収納される。【００９３】
出金額に対応した出金紙幣が出金口16に繰り込まれたら、シャッタ27が開放される。テラーによって出金口16から出金紙幣が取り出されたらシャッタ27を閉じる。出金紙幣はテラーから顧客に受け渡される。【００９４】
その後、図９に示すように、一時保留部28に収納した出金不要の紙幣を元の金種別収納放出部53に戻す処理をする。すなわち、一時保留部28に収納した出金不要の紙幣は、一時保留部28から一時保留搬送部33に１枚ずつ繰り出され、出金搬送部31を通じて識別搬送部34に搬送されて識別部40で再度識別される。【００９５】
識別の結果、正常紙幣および汚損券については、識別搬送部34から収納出金搬送部37を通じて下部ユニット側搬送部55の主搬送部56に搬送され、この主搬送部56から収納先に設定されている元の金種別収納放出部53に繰り込まれて収納される。【００９６】
異常紙幣および汚損券以外の損券が識別された場合には、これらが識別搬送部34からリジェクト搬送部36を通じてリジェクトボックス52に繰り込まれて収納される。【００９７】
このように、出金処理時、識別部40で正常紙幣と識別された紙幣は出金口16へ搬送し、損券と識別された紙幣のうち損券の種類によって汚損券を出金口16への出金可否を判断し、特定種類の損券をリジェクトせずに出金紙幣として扱うことにより、金種別収納放出部53内の出金紙幣にリサイクル使用可能な紙幣の減少を抑え、出金紙幣不足の発生による取引中止を防止できる。【００９８】
特に、出金処理時、識別部40によって損券として識別された紙幣のうち、出金損貨種類設定手段72によって設定された種類に従い、出金可能と設定された例えば汚損券は出金口16へ搬送し、出金不可と設定された例えば汚損券以外の紙幣はリジェクトボックス52へ搬送することにより、設定された特定種類の汚損券のみをリジェクトせずに出金紙幣として扱うことができ、例えば損券の識別頻度の多い地域で紙幣入出金機11を使用する場合でも、金種別収納放出部53内の出金紙幣不足の発生による取引中止や、リジェクトボックス52の満杯による取引中止を防止できる。【００９９】
出金損貨種類設定手段72では、出金口16へ出金可能とする損券の種類として、汚損券の他、厚損券、欠損券、疲労券などのいずれか１つあるいは組み合わせて任意に選択設定できる。【０１００】
また、収納貨幣設定手段73により、複数の金種別収納放出部53の各々に対して、複数の正常紙幣と全金種の損券とを混合状態で収納する設定、複数の正常紙幣と特定金種の損券とを混合状態で収納する設定、全金種の損券のみを収納する設定、特定金種のみの損券のみを収納する設定のいずれかに設定可能とするため、金種別収納放出部53を利用して多くの損券を収納でき、リジェクトボックス52が満杯となる頻度を低減できる。【０１０１】
また、入金処理時、正常紙幣を一時保留部28へ搬送し、入金承認後、一時保留部28の紙幣を再度識別した結果、出金損貨種類設定手段72によって設定された種類に従い、出金口16へ出金不可と判断された汚損券以外の損券は、リジェクトボックス52への搬送を決定し、出金口16へ出金可能と判断された汚損券は、収納貨幣設定手段73によって設定された情報を元に、該当する金種別収納放出部53へ搬送することにより、正常紙幣として扱うことができる。【０１０２】
また、出金処理時、収納貨幣設定手段73に基づいて、複数金種の正常紙幣を混合収納している金種別収納放出部53あるいは複数金種の正常紙幣と汚損券以外の損券とを混合状態で収納している金種別収納放出部53からの出金を行う際、出金不要金種の紙幣が金種別収納放出部53から放出された場合は、出金不要金種の紙幣を一時保留部28へ搬送し、所定量の出金紙幣が出金口16に放出された後に、一時保留部28へ搬送した出金不要金種の紙幣を当該金種別収納放出部53へ搬送させることにより、出金に必要な紙幣のみを選択的に出金できる。【０１０３】
なお、識別部は、入金用と出金用とに備えるなど、複数備えていてもよい。【０１０４】
次に、図１０ないし図１２に第２の実施の形態を示す。【０１０５】
貨幣として硬貨を取り扱う貨幣入出金機としての硬貨入出金機101を示す。【０１０６】
図１０ないし図１２は硬貨入出金機101の図示しない機体内に配設される硬貨処理装置102を示す。機体の前側上部には硬貨処理装置102に入金硬貨を投入する入金口が配設され、機体の前面側の右側および左側に硬貨処理装置102から放出される出金硬貨を払い出す出金口がそれぞれ設けられている。【０１０７】
硬貨処理装置102は、前後方向に長い四角形枠状のフレーム105を有し、このフレーム105上には、環状の硬貨通路106が形成されているとともに、この硬貨通路106内の硬貨を搬送する環状構造の搬送手段107が配設されている。【０１０８】
これら硬貨通路106および搬送手段107の内側域には、機体の入金口から投入される硬貨を受け入れて硬貨通路106に１枚ずつ繰出可能とする入金繰出部108、金種別の硬貨を収納して硬貨通路106に１枚ずつ繰り出す複数の金種別収納放出部109、入金処理時の識別後の硬貨を一括して一時保留するとともに硬貨通路106に１枚ずつ繰出可能とする一時保留部110が、前面側から奥側に向かって順に配設されている。入金繰出部108、金種別収納放出部109、一時保留部110は、基本的な構成が同じであり、いずれも、硬貨を非整列状態で収納して１枚ずつ繰り出す構造に構成されている。【０１０９】
硬貨通路106および搬送手段107によって、次の硬貨を搬送する搬送部が形成されている。フレーム105の左側の辺に沿って前側から奥側に向かう領域に、入金繰出部108、各金種別収納放出部109および一時保留部110から１枚ずつ繰り出される硬貨を受け入れて搬送する受入搬送部112が形成されている。フレーム105の後側の辺に沿って左側から右側に向かう領域に、硬貨を搬送しながら識別する識別搬送部113が形成されている。フレーム105の右側の辺に沿って奥側から前側に向かう領域に、硬貨を搬送しながら分類する分類搬送部114が形成されている。フレーム105の前側の辺に沿って右側から左側に向かう領域に、硬貨を機体の左側の出金口に払い出すために搬送する出金搬送部115が形成されている。【０１１０】
搬送手段107は、１本の環状の搬送ベルト117、およびこの搬送ベルト117を硬貨通路106に沿って回転可能に支持する複数のプーリ118を有している。いずれか１つのプーリ118が図示しないモータによって回転駆動され、搬送ベルト117が搬送方向（図１１で時計回り方向）に回転する。搬送ベルト117には、搬送ベルト117の下面から下方へ向かって突出して硬貨通路106内の硬貨を１枚ずつ押動搬送する複数の突起部119がベルト長手方向に沿って所定の間隔毎に設けられている。【０１１１】
硬貨通路106の識別搬送部113には、硬貨の材質、厚みおよび径などを検知して金種や正損および損貨の種類を識別する識別部121が配設されている。【０１１２】
硬貨通路106の分類搬送部114には、一時保留部110、各金種別収納放出部109、入金繰出部108、および機体の右側の出金口に対して、それぞれ硬貨を選択的に分岐する分岐部123が形成されている。各分岐部123には、硬貨通路106の底面に硬貨が落下可能とする分岐口124が設けられ、この分岐口124に硬貨を選択的に分岐する分岐ゲート125が開閉可能に配設され、この分岐ゲート125がソレノイド126により開閉される。【０１１３】
硬貨通路106の出金搬送部115の末端には、機体の左側の出金口に硬貨を分岐する分岐部128が配設されている。この分岐部128は硬貨が落下する開口で形成されている。【０１１４】
また、入金繰出部108は、上方の入金口から投入される硬貨および硬貨通路106から送り込まれる硬貨を非整列状態で受収する収納枠131、この収納枠131の底面に左右方向に沿って配設された無端状のベルト132、およびこのベルト132の搬送方向下流側上方域に配設され搬送方向へのベルト132の回転に対して逆方向に回転してベルト132上の非整列状態の硬貨を１層１列状態に整列させて繰り出させる逆転ローラ133、この逆転ローラ133を通過した硬貨を硬貨通路106の受入搬送部112に繰り出す繰出通路134、およびこの繰出通路134から１枚ずつ繰り出す硬貨を搬送ベルト117の突起部119に受け渡す受渡部135を有している。【０１１５】
ベルト132は、搬送方向上流側から搬送方向下流側に向かうに従って上昇傾斜するように懸架され、入金繰出部108、各金種別収納放出部109および一時保留部110に共通のモータ136によって搬送方向へ回転駆動される。【０１１６】
逆転ローラ133は、ベルト132を駆動するモータ136により、搬送方向に回転するベルト132の上面に対して逆方向に回転される。【０１１７】
受渡部135は、パルスモータ137によって回転駆動される円形状のカム138を有している。このカム138の下面には、周縁部の円周上の対称位置に繰出通路134から繰り出される硬貨が１枚ずつ侵入可能とする一対の溝部が形成されている。そして、カム138は、硬貨が一方の溝部に進入した停止位置を定位置とし、搬送ベルト117の突起部119の位置に応じてその突起部119に硬貨を受け渡すことができるタイミングで１８０°回動し、一方の溝部内の硬貨を搬送ベルト117の突起部119に受け渡し、繰出通路134からの後続の硬貨が他方の溝部に進入した次の定位置で停止し、次の受け渡し動作に待機するように制御される。【０１１８】
また、各金種別収納放出部109および一時保留部110は、基本的な構成が入金繰出部108の構成と同じであり、すなわち、収納枠131、ベルト132、逆転ローラ133、繰出通路134、および受渡部135などを備えている。そして、各金種別収納放出部109および一時保留部110からは硬貨通路106の受入搬送部112に硬貨を１枚ずつ繰出可能とし、各金種別収納放出部109および一時保留部110には硬貨通路106の分類搬送部114の対応する各分岐部123で分岐される硬貨を受け入れて収納可能としている。【０１１９】
また、硬貨入出金機101は、硬貨処理装置102による硬貨処理動作を含む各動作を制御する図示しない制御部を備えている。この制御部は、損貨の取り扱いや各金種硬貨の収納先の設定に関して、上述した第１の実施の形態と同様の制御を行うものである。例えば、出金処理時、金種別収納放出部109から繰り出されて識別部121で識別した硬貨のうち、正規であり損貨でもない正常硬貨は出金口へ搬送し、正規であるが損貨であると識別された硬貨のうち損貨の種類によって出金口への出金可否を判断する機能などを含む、各機能を有している。さらに、出金口へ出金可能とする損貨の種類を設定可能な出金損貨種類設定手段72を備え、かつ、複数の金種別収納放出部109の各々に対して、複数の正常硬貨と全金種の損貨とを混合状態で収納する設定、複数の正常硬貨と特定金種の損貨とを混合状態で収納する設定、全金種の損貨のみを収納する設定、特定金種のみの損貨のみを収納する設定のいずれか１つに設定可能な収納貨幣設定手段73を備えている。設定可能な損貨の種類は、正常硬貨に対して汚れている汚損貨、正常硬貨に対して大きさが異なる変形貨などが含まれており、汚損貨については汚れの付着による厚み異常貨および直径異常貨を汚損貨として識別可能とする。【０１２０】
次に、硬貨入出金機101の動作を説明する。【０１２１】
まず、入金処理について説明する。【０１２２】
入金口を通じて入金繰出部108に投入された入金硬貨は、この入金繰出部108から１枚ずつ繰り出して硬貨通路106の受入搬送部112を回転している搬送ベルト117の突起部119に受け渡す。【０１２３】
搬送ベルト117の突起部119で入金硬貨を押動して硬貨通路106の受入搬送部112から識別搬送部113に搬送し、識別搬送部113の識別部121で入金硬貨を識別する。【０１２４】
識別部121での識別の結果、正常硬貨と識別された入金硬貨、および損貨は、識別搬送部113から分類搬送部114に搬送し、一時保留部110に対応した分岐部123で分岐し、一時保留部110に収納する。【０１２５】
なお、各金種別収納放出部109および一時保留部110では、受渡部135で硬貨の繰り出しを停止した状態を維持するため、収納している硬貨を繰り出すことはない。【０１２６】
識別部121での識別の結果、識別不能な異常硬貨と識別された場合、この異常硬貨は、識別搬送部113から分類搬送部114に搬送し、機体の右側の出金口に対応した最下流の分岐部123で分岐して右側の出金口に返却するか、分類搬送部114から出金搬送部115に搬送し、機体の左側の出金口に対応した分岐部128で分岐して左側の出金口に返却する。【０１２７】
そして、入金硬貨の一時保留後、収納が指令された場合には、一時保留部110の硬貨を金種別に収納する。すなわち、一時保留部110から一時保留している硬貨を１枚ずつ繰り出して硬貨通路106の受入搬送部112を回転している搬送ベルト117の突起部119に受け渡す。【０１２８】
搬送ベルト117の突起部119で硬貨を押動して硬貨通路106の受入搬送部112から識別搬送部113に搬送し、識別搬送部113の識別部121で硬貨を識別する。【０１２９】
識別部121での識別の結果、正常硬貨と識別された硬貨、および損貨のうちの汚損貨は、識別搬送部113から分類搬送部114に搬送し、収納貨幣設定手段73の設定に従い、該当する金種別収納放出部109に対応した分岐部123で金種別に分岐し、金種別収納放出部109に金種別に収納する。【０１３０】
識別部121での識別の結果、識別不能な異常硬貨や、汚損貨以外の損貨と識別された場合、それらは、識別搬送部113から分類搬送部114に搬送し、機体の右側の出金口に対応した最下流の分岐部123で分岐して右側の出金口に払い出すか、分類搬送部114から出金搬送部115に搬送し、機体の左側の出金口に対応した分岐部128で分岐して左側の出金口に払い出す。また、異常硬貨や、汚損貨以外の損貨は、収納貨幣設定手段73の設定に従い、金種別収納放出部109に収納してもよく、あるいは、機体の右側の出金口に対応した分岐部123で分岐し、この分岐部123の下方に配設された図示しない切換手段により機体内の下側に配置された図示しないリジェクト硬貨収納部（回収ボックスまたはリジェクトボックス）に導いて収納してもよい。そして、出金口に払い出された硬貨は、テラーが取り出して確認などの処理を行う。【０１３１】
また、計数結果が承認されず、返却が指令された場合には、一時保留硬貨を返却する。すなわち、一時保留部110から一時保留している硬貨を１枚ずつ繰り出して硬貨通路106の受入搬送部112を回転している搬送ベルト117の突起部119に受け渡す。【０１３２】
搬送ベルト117の突起部119で硬貨を押動して硬貨通路106の受入搬送部112から識別搬送部113に搬送し、識別搬送部113の識別部121で硬貨を識別する。識別した硬貨は、識別搬送部113から分類搬送部114に搬送し、機体の右側の出金口に対応した最下流の分岐部123で分岐して右側の出金口に返却するか、分類搬送部114から出金搬送部115に搬送し、機体の左側の出金口に対応した分岐部128で分岐して左側の出金口に返却する。【０１３３】
次に、出金処理について説明する。【０１３４】
出金すべき金種と枚数、または出金すべき金額を含んだ出金指令を受けると、出金金種に該当する金種別収納放出部109では、出金硬貨を１枚ずつ繰り出して硬貨通路106の受入搬送部112を回転している搬送ベルト117の突起部119に受け渡す。また、出金金種に該当しない金種別収納放出部109、および出金金種に該当しても出金枚数分の硬貨を繰り出し終えた金種別収納放出部109では、受渡部135で硬貨の繰り出しを停止した状態を維持するため、硬貨を繰り出すことはない。【０１３５】
搬送ベルト117の突起部119で出金硬貨を押動して硬貨通路106の受入搬送部112から識別搬送部113に搬送し、識別搬送部113の識別部121で硬貨を識別する。【０１３６】
識別部121での識別の結果、正常硬貨と識別された出金硬貨、および損貨のうちの汚損貨は、識別搬送部113から分類搬送部114に搬送し、機体の右側の出金口に対応した最下流の分岐部123で分岐して右側の出金口に払い出すか、分類搬送部114から出金搬送部115に搬送し、機体の左側の出金口に対応した分岐部128で分岐して左側の出金口に払い出す。【０１３７】
識別部121での識別の結果、識別不能な異常硬貨、汚損貨以外の損貨、金種別収納放出部109に複数金種を混合収納している場合に硬貨通路106に繰り出された出金不要金種の硬貨と識別された場合、それらは、識別搬送部113から分類搬送部114に搬送し、元の金種別収納放出部109に対応した分岐部123で分岐し、元の金種別収納放出部109に戻す。また、異常硬貨や、汚損貨以外の損貨は、収納貨幣設定手段73の設定に従い、金種別収納放出部109に収納してもよく、あるいは、機体の右側の出金口に対応した分岐部123で分岐し、この分岐部123の下方に配設された図示しない切換手段により機体内の下側に配置された図示しないリジェクト硬貨収納部（回収ボックスまたはリジェクトボックス）に導いて収納してもよい。なお、金種別収納放出部109に複数金種を混合収納している場合に硬貨通路106に繰り出された出金不要金種の硬貨と識別された場合、一時保留部110に分岐して保留し、出金処理完了後に一時保留部110内から繰り出して元の金種別収納放出部109に戻すようにしてもよい。この場合、金種別収納放出部109に戻した出金不要金種の硬貨が再び繰り出されるようなことがない。そして、不足分の硬貨をその金種別収納放出部109から硬貨通路106に再度繰り出す。【０１３８】
このように、出金処理時、識別部121で正常硬貨と識別された硬貨は出金口へ搬送し、損貨と識別された硬貨のうち損貨の種類によって汚損貨を出金口への出金可否を判断し、特定種類の損貨をリジェクトせずに出金硬貨として扱うことにより、金種別収納放出部109内の出金硬貨にリサイクル使用可能な硬貨の減少を抑え、出金硬貨不足の発生による取引中止を防止できる。【０１３９】
特に、出金処理時、識別部121によって損貨として識別された硬貨のうち、出金損貨種類設定手段72によって設定された種類に従い、出金可能と設定された例えば汚損貨は出金口へ搬送し、出金不可と設定された例えば汚損貨以外の硬貨は金種別収納放出部109またはリジェクト硬貨収納部へ搬送することにより、設定された特定種類の汚損貨のみをリジェクトせずに出金硬貨として扱うことができ、例えば損貨の識別頻度の多い地域で硬貨入出金機101を使用する場合でも、金種別収納放出部109内の出金硬貨不足の発生による取引中止を防止できる。さらに、異常硬貨や損貨の収納にリジェクト硬貨収納部を使用する場合には、リジェクト硬貨収納部の満杯による取引中心を防止できる。【０１４０】
また、収納貨幣設定手段73により、複数の金種別収納放出部109の各々に対して、複数の正常硬貨と全金種の損貨とを混合状態で収納する設定、複数の正常硬貨と特定金種の損貨とを混合状態で収納する設定、全金種の損貨のみを収納する設定、特定金種のみの損貨のみを収納する設定のいずれかに設定可能とすることにより、金種別収納放出部109を利用して多くの損貨を収納でき、異常硬貨や損貨の収納にリジェクト硬貨収納部を使用する場合にはリジェクト硬貨収納部が満杯となる頻度を低減できる。【０１４１】
次に、図１３に第３の実施の形態を示す。【０１４２】
貨幣として硬貨を取り扱う貨幣入出金機としての硬貨入出金機201を示す。【０１４３】
硬貨入出金機201は、機体202を備え、この機体202の前側上面に硬貨を投入する入金口203が配設され、機体202の前面に硬貨を払い出す出金口204が配設されている。さらに、機体12の前面には、機体202に対して硬貨カセット205が着脱可能に配設されている。【０１４４】
機体202内には、機体12の前面から見て上部が左側方向に所定角度で傾斜する図示しないベースが配設され、このベースの上方に臨む表面側に硬貨を搬送する環状の搬送手段208が配設されている。この搬送手段208には、搬送手段208で搬送する硬貨の少なくとも金種、真偽、正損や損貨の種類などを適宜選択して識別する識別部209が配設され、さらに、入金口203に投入された硬貨を受収して搬送手段208に１枚ずつ繰り出し可能とするとともに搬送手段208に対して硬貨を１枚ずつ出し入れ可能とする貯留繰出部210、金種別に硬貨を収納するものであって搬送手段208に対して硬貨を１枚ずつ出し入れ可能とする複数の金種別収納放出部211、入金硬貨を一時保留可能とする一時保留部212、および出金硬貨を一時保留可能とする出金一時保留部213が、それぞれ接続されるように配設されている。入金口203と貯留繰出部210との間には入金口203に投入された硬貨を貯留繰出部210に導く受入シュート214が配設されている。【０１４５】
そして、搬送手段208は、硬貨を１列状態として硬貨の搬送を案内する環状の硬貨通路216、およびこの硬貨通路216内の硬貨を搬送する無端状の搬送ベルト217を備えている。【０１４６】
硬貨通路216には、機体202の前側から後側に向けて設けられる第１の通路部218、この第１の通路部218の後端から機体202の前側へ向けて折り返すために機体202の後面に沿って設けられる折返し通路部219、この折返し通路部219から機体202の前側へ向かうとともにその前端が出金一時保留部213に向けて設けられる第２の通路部220、および第１の通路部218の前端から第２の通路部220の前端と並列に出金一時保留部213に向けて設けられる出金通路部221が形成されている。【０１４７】
搬送ベルト217には、複数の突部223がベルト長手方向に所定のピッチで突設されている。そして、搬送ベルト217は隣り合う２つの突起部223の間に硬貨を受け入れ、搬送ベルト217の回転により突起部223で硬貨を押動しながら搬送する。また、搬送ベルト217は、正逆転駆動され、すなわち、貯留繰出部210から硬貨を繰り出して金種別収納放出部211に収納する入金時などには、第１の通路部218において前側から後側へ向けて移動するように正方向である第１の方向（以下、入金搬送方向F1という）に回転され、一方、金種別収納放出部211から硬貨を繰り出して出金口204へ投出する出金時などには、入金搬送方向F1に対して逆方向である第２の方向（以下、出金搬送方向F2という）に回転される。したがって、搬送ベルト217の正逆転により、硬貨通路216内の硬貨の正逆双方向へ搬送可能としている。【０１４８】
硬貨通路216の第１の通路部218の下側には、前側位置に貯留繰出部210が配設され、この貯留繰出部210より後側位置に複数であって例えば３つの金種別収納放出部211が第１の通路部218に沿って配設されている。これら貯留繰出部210と最前部の金種別収納放出部211との間には識別部209が配設されている。また、第２の通路部220の下側には、複数であって例えば３つの金種別収納放出部211が第２の通路部220に沿って配設され、これら金種別収納放出部211の前側に一時保留部212が配設されている。第２の通路部220の前端および出金通路部221の前端に臨んで出金一時保留部213が配設されている。【０１４９】
硬貨通路216には、貯留繰出部210の硬貨出入口、および各金種別収納放出部211の硬貨出入口、一時保留部212の硬貨入口の各位置に、硬貨を出し入れするか搬送手段208で搬送する硬貨を搬送方向下流側へ通過させるかに応じて選択的に振り分けるゲート部材225が配設されている。【０１５０】
また、貯留繰出部210および各金種別収納放出部211は、水平方向に対して所定角度で傾斜する位置で回転軸227を中心に回転可能な回転円盤228、この回転円盤228の表面側との間で硬貨を貯留するホッパ229、および硬貨出入口近傍に配置される受渡円盤230などを備えている。【０１５１】
回転円盤228は、機体202のベースに回転可能に取り付けられた回転軸227により、機体202の前面から見て、水平方向に対して右方向に傾斜していて、回転円盤228の左側が高く、右側が低く、回転円盤228の表面が機体202の右斜め上方に対向するように配設されている。回転円盤228は、搬送ベルト217や受渡円盤230と連動して、硬貨を硬貨通路216へ繰り出す繰出回転方向（図１３の矢印方向）にモータで回転駆動される。【０１５２】
回転円盤228の表面には、この回転円盤228の表面から突出する複数の拾上部材231が、内周側の円周方向と外周側の円周方向との２列の円周方向に沿って所定ピッチで配置されている。そして、回転円盤228の繰出回転方向への回転時に、内周側の各拾上部材231が硬貨を１枚ずつ保持して回転円盤228の上部域に拾い上げ、外周側の各拾上部材231が内周側の各拾上部材231で回転円盤228の上部域に拾い上げた硬貨を硬貨出入口へ向けて押し出すとともに受渡円盤230に受け渡すように構成されている。【０１５３】
回転円盤228の上部域には、拾上部材231で回転円盤228の上部域に拾い上げた硬貨を硬貨通路216へ向けて繰り出す通路部232が形成されている。【０１５４】
受渡円盤230の外周縁部には、硬貨に当接して回転円盤228側から硬貨通路216へ繰り出す突部233が突設されている。受渡円盤230は、硬貨通路216の搬送ベルト217と連動して回転し、硬貨を繰り出すときには、突部233で硬貨を回転円盤228側から通路部232内を通じて硬貨通路216へ繰り出す繰出回転方向に回転し、また、硬貨を受け入れるときには、突部233が硬貨通路216側から通路部232内へ移動する反繰出回転方向に回転する。【０１５５】
また、一時保留部212は、硬貨カセット205および貯留繰出部210の上方に配設されており、シュート部235を備えている。このシュート部235は、中空形状の円筒形状であり、シュート部235の上方域には硬貨通路216からゲート部材225で振り分けられた硬貨を受け入れる水平な開口部が形成され、シュート部235の下方域には側方に向けて開口する開口部236が形成され、シュート部235の下部側が開口部236に向かって湾曲するように形成されている。【０１５６】
シュート部235は、シュート部235の中心を通る鉛直方向の軸を中心として回転可能としている。シュート部235の下方域の開口部236が回転する回転域の周囲には、シュート部235が所定の回転位置である保留位置に位置するときに、下方域の開口部236を閉塞状態とする図示しない閉塞部材が配設されている。そして、閉塞部材で下方域の開口部236が閉塞されたシュート部235の保留位置において上方域の開口部から送り込まれる硬貨をシュート部235内に一時保留し、シュート部235が閉塞部材に対して一側方向に回転することにより保留硬貨が貯留繰出部210に放出され、シュート部235が閉塞部材に対して他側方向に回転することにより保留硬貨が硬貨カセット205に放出される。【０１５７】
また、出金一時保留部213は、出金口204の上方に配設され、硬貨通路216の第２の通路部220または出金通路部221から放出される硬貨を上部から受け入れ可能としており、一時保留部212と基本構造が同一に形成されている。そして、閉塞部材で下方域の開口部236が閉塞されたシュート部235の保留位置において上方域の開口部から送り込まれる硬貨をシュート部235内に一時保留し、シュート部235が閉塞部材に対して一側方向に回転することにより保留硬貨が出金口204に放出され、シュート部235が閉塞部材に対して他側方向に回転することにより保留硬貨が硬貨カセット205に放出される。【０１５８】
また、硬貨入出金機201は、硬貨入出金機201を制御する図示しない制御部を備えている。この制御部は、損貨の取り扱いや各金種硬貨の収納先の設定に関して、上述した第１の実施の形態と同様の制御を行うものである。例えば、出金処理時、金種別収納放出部211から繰り出されて識別部209で識別した硬貨のうち、正規であり損貨でもない正常硬貨は出金口204へ搬送し、正規であるが損貨であると識別された硬貨のうち損貨の種類によって出金口204への出金可否を判断する機能などを含む、各機能を有している。さらに、出金口204へ出金可能とする損貨の種類を設定可能な出金損貨種類設定手段72を備え、かつ、複数の金種別収納放出部211の各々に対して、複数の正常硬貨と全金種の損貨とを混合状態で収納する設定、複数の正常硬貨と特定金種の損貨とを混合状態で収納する設定、全金種の損貨のみを収納する設定、特定金種のみの損貨のみを収納する設定のいずれか１つに設定可能な収納貨幣設定手段73を備えている。設定可能な損貨の種類は、正常硬貨に対して汚れている汚損貨、正常硬貨に対して大きさが異なる変形貨などが含まれており、汚損貨については汚れの付着による厚み異常貨および直径異常貨を汚損貨として識別可能とする。【０１５９】
次に、硬貨入出金機201の動作を説明する。【０１６０】
まず、入金動作について説明する。【０１６１】
入金口203から貯留繰出部210に投入された入金硬貨は、貯留繰出部210から１枚ずつ硬貨通路216に繰り出し、この硬貨通路216内に繰り出した硬貨を１枚ずつ搬送ベルト217で入金搬送方向F1に搬送し、この硬貨通路216内を搬送する硬貨を識別部209で識別する。【０１６２】
識別部209での識別の結果、正常硬貨と識別された硬貨、および損貨は、一時保留部212の位置のゲート部材225で一時保留部212に振り分け、予め保留位置に回転配置されていて下方域の開口部236が閉塞部材で閉塞されているシュート部235内に保留する。【０１６３】
識別部209での識別の結果、識別不能な異常硬貨は、第２の通路部220の末端である前端まで搬送して出金一時保留部213に放出し、予め出金口204への放出位置に回転配置されているシュート部235を通じて出金口204に放出して返却する。【０１６４】
また、入金硬貨の一時保留後、収納指令が出されると、一時保留部212のシュート部235を保留位置から貯留繰出部210への放出位置に回転させ、一時保留部212のシュート部235内に保留していた硬貨を貯留繰出部210に送り込む。【０１６５】
その後、貯留繰出部210内の硬貨を１枚ずつ硬貨通路216に繰り出し、この硬貨通路216内に繰り出した硬貨を１枚ずつ搬送ベルト217で入金搬送方向F1に搬送し、この硬貨通路216内を搬送する硬貨を識別部209で識別する。【０１６６】
識別部209での識別の結果、正常硬貨と識別された硬貨、および損貨のうちの汚損貨は、収納貨幣設定手段73の設定に従い、該当する金種別収納放出部211のゲート部材225で硬貨通路216から金種別収納放出部211に振り分け、金種別収納放出部211内に収納する。【０１６７】
識別部209での識別の結果、正常硬貨と識別されなかった異常硬貨や、汚損貨以外の硬貨は、硬貨通路216の各金種別収納放出部211の位置を通過させて一時保留部212のゲート部材225で一時保留部212に振り分け、予め硬貨カセット205側への放出位置に回転配置されているシュート部235を通じて硬貨カセット205へ送り込んで収納する。【０１６８】
そして、一時保留した入金硬貨の金種別収納放出部211または硬貨カセット205への収納が完了したら、入金処理を終了する。【０１６９】
また、入金硬貨の一時保留後、返却指令が出されると、一時保留部212のシュート部235を保留位置から貯留繰出部210への放出位置に回転させ、一時保留部212のシュート部235内に一時保留していた硬貨を貯留繰出部210に送り込む。【０１７０】
その後、貯留繰出部210内の硬貨を１枚ずつ硬貨通路216に繰り出し、この硬貨通路216内に繰り出した硬貨を１枚ずつ搬送ベルト217で入金搬送方向F1に搬送し、硬貨通路216の第２の通路部220の末端である前端から出金一時保留部213に放出し、予め出金口204への放出位置に回転配置されているシュート部235を通じて出金口204に放出して返却する。【０１７１】
次に、出金動作について説明する。【０１７２】
出金すべき金種と枚数、または出金すべき金額を含んだ出金指令を受けると、出金すべき硬貨を収納した該当する金種別収納放出部211内の硬貨を１枚ずつ硬貨通路216に繰り出し、この硬貨通路216内に繰り出した硬貨を１枚ずつ搬送ベルト217で出金搬送方向F2に搬送し、この硬貨通路216内を搬送する硬貨を識別部209で識別する。このとき、複数の金種別収納放出部211から硬貨を投出する場合には、いずれか１つの金種別収納放出部211から硬貨を投出し、その金種別収納放出部211からの出金分の硬貨の投出完了後に、次の金種別収納放出部211から出金分の硬貨を投出するように順番に投出していく。【０１７３】
識別部209での識別の結果、正常硬貨と識別された硬貨、および損貨のうちの汚損貨は、出金通路部221の末端である前端まで搬送して出金一時保留部213に放出し、予め保留位置に回転配置されていて下方域の開口部236が閉塞部材で閉塞されたシュート部235内に保留する。【０１７４】
識別部209での識別の結果、正常硬貨と識別されなかった異常硬貨、汚損貨以外の損貨、金種別収納放出部211に複数金種を混合収納している場合に硬貨通路216に繰り出された出金不要金種の硬貨は、貯留繰出部210のゲート部材225で硬貨通路216から貯留繰出部210に振り分けて収納する。そして、不足分の硬貨を該当する金種の金種別収納放出部211から追加投出する。【０１７５】
そして、出金分の硬貨を出金一時保留部213のシュート部235内に保留したら、そのシュート部235を保留位置から出金口204への放出位置に回転させ、シュート部235内に保留していた硬貨を出金口204に放出して払い出す。【０１７６】
その後、正常硬貨と識別されなかった異常硬貨や汚損貨以外の損貨が貯留繰出部210に振り分けられている場合には、貯留繰出部210内の硬貨を１枚ずつ硬貨通路216に繰り出し、この硬貨通路216内に繰り出した硬貨を１枚ずつ搬送ベルト217で入金搬送方向F1に搬送し、この硬貨通路216内を搬送する硬貨を識別部209で識別する。【０１７７】
識別部209での識別の結果、正常硬貨と識別された硬貨は、収納貨幣設定手段73の設定に従い、該当する金種別収納放出部211のゲート部材225で硬貨通路216から金種別収納放出部211に振り分け、金種別収納放出部211内に収納する。【０１７８】
識別部209での識別の結果、正常硬貨と識別されなかった異常硬貨や、汚損貨以外の損貨は、硬貨通路216の各金種別収納放出部211の位置を通過させて一時保留部212のゲート部材225で一時保留部212に振り分け、予め硬貨カセット205への放出位置に回転配置されているシュート部235を通じて硬貨カセット205へ送り込んで収納する。【０１７９】
このように、出金処理時、識別部209で正常硬貨と識別された硬貨は出金口204へ搬送し、損貨と識別された硬貨のうち損貨の種類によって汚損貨を出金口204への出金可否を判断し、特定種類の損貨をリジェクトせずに出金硬貨として扱うことにより、金種別収納放出部211内の出金硬貨にリサイクル使用可能な硬貨の減少を抑え、出金硬貨不足の発生による取引中止を防止できる。【０１８０】
特に、出金処理時、識別部209によって損貨として識別された硬貨のうち、出金損貨種類設定手段72によって設定された種類に従い、出金可能と設定された例えば汚損貨は出金口204へ搬送し、出金不可と設定された例えば汚損貨以外の硬貨は貯留繰出部210を経て硬貨カセット205へ搬送することにより、設定された特定種類の汚損貨のみをリジェクトせずに出金硬貨として扱うことができ、例えば損貨の識別頻度の多い地域で硬貨入出金機201を使用する場合でも、金種別収納放出部211内の出金硬貨不足の発生による取引中止を防止できる。【０１８１】
また、収納貨幣設定手段73により、複数の金種別収納放出部211の各々に対して、複数の正常硬貨と全金種の損貨とを混合状態で収納する設定、複数の正常硬貨と特定金種の損貨とを混合状態で収納する設定、全金種の損貨のみを収納する設定、特定金種のみの損貨のみを収納する設定のいずれかに設定可能とすることにより、金種別収納放出部211を利用して多くの損貨を収納できる。
【産業上の利用可能性】
【０１８２】
本発明は、貨幣として紙幣を取り扱う紙幣入出金機、硬貨を取り扱う硬貨入出金機、紙幣と貨幣との両方を取り扱う紙幣硬貨入出金機などの貨幣入出金機に利用される。
【図１】
2009069200.tif 000003
【図２】
2009069200.tif 000004
【図３】
2009069200.tif 000005
【図４】
2009069200.tif 000006
【図５】
2009069200.tif 000007
【図６】
2009069200.tif 000008
【図７】
2009069200.tif 000009
【図８】
2009069200.tif 000010
【図９】
2009069200.tif 000011
【図１０】
2009069200.tif 000012
【図１１】
2009069200.tif 000013
【図１２】
2009069200.tif 000014
【図１３】
2009069200.tif 000015
【国際調査報告】
2009069200.tif 000016
2009069200.tif 000017